(57)【要約】【課題】  実際の印刷物に近いプレビュー画像を生成することができる印刷プレビュープログラムおよび電子機器を提供する。【解決手段】  撮像部および表示部を備える携帯機器によって実行される印刷プレビュープログラムは、ＭＦＰによって記録媒体に印刷される予定の印刷予定画像を取得し（Ｓ１０１）、撮像部による撮影画像に記録媒体が含まれる場合に（Ｓ１０４でＹＥＳ）、Ｓ１０１において取得した印刷予定画像を、この撮影画像におけるこの記録媒体上に合成した合成画像を表示部に表示させる（Ｓ１０６〜Ｓ１１０）ように携帯機器を機能させることを特徴とする。【選択図】  図４
2014215950.tif 000002
【特許請求の範囲】
【請求項１】
撮像デバイスおよび表示デバイスを備える電子機器によって実行される印刷プレビュープログラムであって、
画像形成装置によって記録媒体に印刷される予定の印刷予定画像を取得する印刷予定画像取得手段、および、
前記撮像デバイスによる撮影画像に前記記録媒体が含まれる場合に、前記印刷予定画像取得手段によって取得された前記印刷予定画像を、この撮影画像におけるこの記録媒体上に合成した合成画像を前記表示デバイスに表示させる表示制御手段として前記電子機器を機能させることを特徴とする印刷プレビュープログラム。
【請求項２】
前記表示制御手段は、画像認識技術によって前記撮影画像上の前記記録媒体自体を認識することによって、前記撮影画像に前記記録媒体が含まれることを認識することを特徴とする請求項１に記載の印刷プレビュープログラム。
【請求項３】
前記画像形成装置の指定を受け付ける装置指定受付手段として前記電子機器を機能させ、
前記表示制御手段は、前記装置指定受付手段によって受け付けられた前記画像形成装置の出力特性に応じて前記合成画像における前記印刷予定画像の外観を変化させることを特徴とする請求項１または請求項２に記載の印刷プレビュープログラム。
【請求項４】
撮像デバイスと、
表示デバイスと、
画像形成装置によって記録媒体に印刷される予定の印刷予定画像を取得する印刷予定画像取得手段と、
前記撮像デバイスによる撮影画像に前記記録媒体が含まれる場合に、前記印刷予定画像取得手段によって取得された前記印刷予定画像を、この撮影画像におけるこの記録媒体上に合成した合成画像を前記表示デバイスに表示させる表示制御手段とを備えることを特徴とする電子機器。
【発明の詳細な説明】
【技術分野】
【０００１】
本発明は、撮像デバイスによる撮影画像に付加情報を合成した合成画像を表示デバイスに表示させるＡＲ（Ａｕｇｍｅｎｔｅｄ  Ｒｅａｌｉｔｙ）技術を実現する印刷プレビュープログラムおよび電子機器に関する。
【背景技術】
【０００２】
従来、画像形成装置によって記録媒体に印刷される予定の印刷予定画像がこの記録媒体に実際に印刷される前に、この印刷予定画像がこの記録媒体に印刷された状態を擬似的に表示する印刷プレビューが知られている（特許文献１参照。）。
【先行技術文献】
【特許文献】
【０００３】
【特許文献１】特開２０１２−２５６１８０号公報
【発明の概要】
【発明が解決しようとする課題】
【０００４】
しかしながら、従来の印刷プレビューにおいては、擬似的に表示される記録媒体の色が例えば白色などの一定の色であって実際の記録媒体の色とは異なるなど、擬似的に表示される記録媒体の外観が実際の記録媒体の外観とは異なるので、印刷予定画像が記録媒体に印刷された状態を擬似的に表示したプレビュー画像と、印刷予定画像が記録媒体に実際に印刷された印刷物とが全く異なる場合があるという問題がある。
【０００５】
そこで、本発明は、実際の印刷物に近いプレビュー画像を生成することができる印刷プレビュープログラムおよび電子機器を提供することを目的とする。
【課題を解決するための手段】
【０００６】
本発明の印刷プレビュープログラムは、撮像デバイスおよび表示デバイスを備える電子機器によって実行される印刷プレビュープログラムであって、画像形成装置によって記録媒体に印刷される予定の印刷予定画像を取得する印刷予定画像取得手段、および、前記撮像デバイスによる撮影画像に前記記録媒体が含まれる場合に、前記印刷予定画像取得手段によって取得された前記印刷予定画像を、この撮影画像におけるこの記録媒体上に合成した合成画像を前記表示デバイスに表示させる表示制御手段として前記電子機器を機能させることを特徴とする。
【０００７】
この構成により、本発明の印刷プレビュープログラムは、撮像デバイスによる撮影画像における記録媒体上に印刷予定画像を合成した合成画像をプレビュー画像として表示デバイスに表示させるので、実際の記録媒体の外観をプレビュー画像に反映することができ、結果として、実際の印刷物に近いプレビュー画像を生成することができる。
【０００８】
また、本発明の印刷プレビュープログラムにおいて、前記表示制御手段は、画像認識技術によって前記撮影画像上の前記記録媒体自体を認識することによって、前記撮影画像に前記記録媒体が含まれることを認識しても良い。
【０００９】
この構成により、本発明の印刷プレビュープログラムは、撮影画像に記録媒体が含まれることを認識するための特別なマーカーが記録媒体上に形成されていなくても、撮影画像における記録媒体上に印刷予定画像を合成した合成画像をプレビュー画像として表示デバイスに表示させることができる。
【００１０】
また、本発明の印刷プレビュープログラムは、前記画像形成装置の指定を受け付ける装置指定受付手段として前記電子機器を機能させ、前記表示制御手段は、前記装置指定受付手段によって受け付けられた前記画像形成装置の出力特性に応じて前記合成画像における前記印刷予定画像の外観を変化させても良い。
【００１１】
この構成により、本発明の印刷プレビュープログラムは、記録媒体に印刷予定画像を印刷する画像形成装置が指定されることによって、この画像形成装置の出力特性に応じて合成画像における印刷予定画像の外観を変化させるので、印刷予定画像を印刷させる画像形成装置に適したプレビュー画像を容易に表示デバイスに表示することができる。
【００１２】
本発明の電子機器は、撮像デバイスと、表示デバイスと、画像形成装置によって記録媒体に印刷される予定の印刷予定画像を取得する印刷予定画像取得手段と、前記撮像デバイスによる撮影画像に前記記録媒体が含まれる場合に、前記印刷予定画像取得手段によって取得された前記印刷予定画像を、この撮影画像におけるこの記録媒体上に合成した合成画像を前記表示デバイスに表示させる表示制御手段とを備えることを特徴とする。
【００１３】
この構成により、本発明の電子機器は、撮像デバイスによる撮影画像における記録媒体上に印刷予定画像を合成した合成画像をプレビュー画像として表示デバイスに表示させるので、実際の記録媒体の外観をプレビュー画像に反映することができ、結果として、実際の印刷物に近いプレビュー画像を生成することができる。
【発明の効果】
【００１４】
本発明の印刷プレビュープログラムおよび電子機器は、実際の印刷物に近いプレビュー画像を生成することができる。
【図面の簡単な説明】
【００１５】
【図１】本発明の一実施の形態に係る画像形成システムのブロック図である。
【図２】図１に示すＭＦＰのブロック図である。
【図３】図１に示す携帯機器のブロック図である。
【図４】プレビュー画像を表示する場合の図３に示す携帯機器の動作のフローチャートである。
【図５】図３に示す表示部に表示された撮影画像における記録媒体の天位置の一例を示す図である。
【図６】図３に示す表示部に表示されたプレビュー画像の一例を示す図である。
【図７】図３に示す表示部に表示されたプレビュー画像の一例を示す図であって、図６に示す例とは異なる例を示す図である。
【図８】図３に示す表示部に表示されたプレビュー画像の一例を示す図であって、図６および図７に示す例とは異なる例を示す図である。
【図９】図３に示す表示部に表示されたプレビュー画像の一例を示す図であって、図６〜図８に示す例とは異なる例を示す図である。
【図１０】図３に示す表示部に表示されたプレビュー画像の一例を示す図であって、図６〜図９に示す例とは異なる例を示す図である。
【発明を実施するための形態】
【００１６】
以下、本発明の一実施の形態について、図面を用いて説明する。
【００１７】
まず、本実施の形態に係る画像形成システム１０の構成について説明する。
【００１８】
図１は、本実施の形態に係る画像形成システム１０のブロック図である。
【００１９】
図１に示すように、画像形成システム１０は、ＭＦＰ（Ｍｕｌｔｉｆｕｎｃｔｉｏｎ  Ｐｅｒｉｐｈｅｒａｌ）２０を含む複数のＭＦＰと、これら複数のＭＦＰを管理する例えばＰＣ（Ｐｅｒｓｏｎａｌ  Ｃｏｍｐｕｔｅｒ）などの管理サーバー３０と、例えばスマートフォンなどの携帯機器４０とを備えている。画像形成システム１０の複数のＭＦＰと、管理サーバー３０と、携帯機器４０とは、ＬＡＮ（Ｌｏｃａｌ  Ａｒｅａ  Ｎｅｔｗｏｒｋ）、インターネットなどのネットワーク１１を介して互いに通信可能に接続されている。携帯機器４０は、本発明の電子機器を構成している。
【００２０】
画像形成システム１０の複数のＭＦＰのそれぞれの構成は、ＭＦＰ２０の構成と同様である。したがって、以下においては、画像形成システム１０の複数のＭＦＰを代表してＭＦＰ２０について説明する。
【００２１】
図２は、ＭＦＰ２０のブロック図である。
【００２２】
図２に示すように、ＭＦＰ２０は、利用者による種々の操作が入力されるボタンなどの入力デバイスである操作部２１と、種々の情報を表示するＬＣＤ（Ｌｉｑｕｉｄ  Ｃｒｙｓｔａｌ  Ｄｉｓｐｌａｙ）などの表示デバイスである表示部２２と、原稿から画像を読み取る読取デバイスであるスキャナー２３と、用紙などの記録媒体に印刷を実行する印刷デバイスであるプリンター２４と、図示していない外部のファクシミリ装置と公衆電話回線などの通信回線経由でファックス通信を行うファックスデバイスであるファックス通信部２５と、ネットワーク１１（図１参照。）経由で外部の装置と通信を行うネットワーク通信デバイスであるネットワーク通信部２６と、各種のデータを記憶しているＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、ＨＤＤ（Ｈａｒｄ  Ｄｉｓｋ  Ｄｒｉｖｅ）などの不揮発性の記憶装置である記憶部２７と、ＭＦＰ２０全体を制御する制御部２８とを備えている。
【００２３】
操作部２１は、表示部２２とともにタッチパネルを形成する入力デバイスを含んでいても良い。
【００２４】
制御部２８は、例えば、ＣＰＵ（Ｃｅｎｔｒａｌ  Ｐｒｏｃｅｓｓｉｎｇ  Ｕｎｉｔ）と、プログラムおよび各種のデータを予め記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部２７に記憶されているプログラムを実行するようになっている。
【００２５】
図３は、携帯機器４０のブロック図である。
【００２６】
図３に示すように、携帯機器４０は、種々の操作が入力されるボタンなどの入力デバイスである操作部４１と、種々の情報を表示するＬＣＤなどの表示デバイスである表示部４２と、静止画または動画を撮影する撮像デバイスである撮像部４３と、ネットワーク１１（図１参照。）経由で外部の装置と通信を行うネットワーク通信デバイスであるネットワーク通信部４４と、プログラムおよび各種のデータを記憶しているＨＤＤなどの不揮発性の記憶装置である記憶部４５と、携帯機器４０全体を制御する制御部４６とを備えている。
【００２７】
操作部４１は、表示部４２とともにタッチパネルを形成する入力デバイスを含んでいても良い。
【００２８】
記憶部４５は、制御部４６によって実行される印刷プレビュープログラム４５ａを記憶している。
【００２９】
制御部４６は、例えば、ＣＰＵと、プログラムおよび各種のデータを予め記憶しているＲＯＭと、ＣＰＵの作業領域として用いられるＲＡＭとを備えている。ＣＰＵは、ＲＯＭまたは記憶部４５に記憶されているプログラムを実行するようになっている。
【００３０】
制御部４６は、記憶部４５に記憶されている印刷プレビュープログラム４５ａを実行することによって、ＭＦＰによって記録媒体に印刷される予定の印刷予定画像を取得する印刷予定画像取得手段４６ａ、撮像部４３による撮影画像に記録媒体が含まれる場合に、印刷予定画像取得手段４６ａによって取得された印刷予定画像を、この撮影画像におけるこの記録媒体上に合成した合成画像を表示部４２に表示させる表示制御手段４６ｂ、および、印刷予定画像を印刷させるＭＦＰの指定を受け付ける装置指定受付手段４６ｃとして機能する。
【００３１】
次に、画像形成システム１０の動作について説明する。
【００３２】
まず、原稿から画像を読み取って印刷予定画像を生成する場合の画像形成システム１０の動作について説明する。
【００３３】
ＭＦＰ２０の制御部２８は、操作部２１を介した指示に応じて、スキャナー２３によって原稿から画像を読み取って印刷予定画像を生成し、生成した印刷予定画像をネットワーク通信部２６を介して管理サーバー３０に送信する。
【００３４】
したがって、管理サーバー３０は、ＭＦＰ２０から送信されてきた印刷予定画像を受信して記憶する。
【００３５】
次に、プレビュー画像を表示する場合の携帯機器４０の動作について説明する。
【００３６】
携帯機器４０の利用者は、プレビュー画像を携帯機器４０に表示させることを希望する場合に、印刷プレビュープログラム４５ａを起動することによって、携帯機器４０の制御部４６に図４に示す動作を実行させる。
【００３７】
図４は、プレビュー画像を表示する場合の携帯機器４０の動作のフローチャートである。
【００３８】
図４に示すように、携帯機器４０の印刷予定画像取得手段４６ａは、ＭＦＰによって記録媒体に印刷される予定の印刷予定画像をネットワーク通信部４４を介して取得する（Ｓ１０１）。ここで、印刷予定画像取得手段４６ａは、ＭＦＰによって原稿から生成されて管理サーバー３０によって記憶されている印刷予定画像を、管理サーバー３０から取得するようになっていても良いし、ＭＦＰによって原稿から生成されて管理サーバー３０によって記憶されている印刷予定画像以外の印刷予定画像を取得するようになっていても良い。例えば、印刷予定画像取得手段４６ａは、ＭＦＰ２０によって原稿から生成されてＭＦＰ２０から携帯機器４０に直接送信されてきた印刷予定画像を取得しても良いし、図示していないＰＣによって生成されて携帯機器４０に送信されてきた印刷予定画像を取得しても良い。
【００３９】
次いで、携帯機器４０の装置指定受付手段４６ｃは、印刷予定画像を印刷させるＭＦＰの指定を受け付けるＭＦＰ指定画面を表示部４２に表示させることによって、操作部４１を介したＭＦＰの指定を受け付ける（Ｓ１０２）。
【００４０】
次いで、携帯機器４０の表示制御手段４６ｂは、撮像部４３による撮影画像を表示部４２に表示させる（Ｓ１０３）。
【００４１】
次いで、表示制御手段４６ｂは、撮像部４３による撮影画像に記録媒体が含まれると判断するまで、撮像部４３による撮影画像に記録媒体が含まれるか否かを判断する（Ｓ１０４）。ここで、表示制御手段４６ｂは、画像認識技術によって撮影画像上の記録媒体自体を認識することによって、撮影画像に記録媒体が含まれることを認識する。なお、携帯機器４０の利用者は、表示部４２に表示されている撮影画像に記録媒体が含まれるように携帯機器４０の位置および方向を調整することによって、撮像部４３による撮影画像に記録媒体を含ませることができる。
【００４２】
表示制御手段４６ｂは、撮像部４３による撮影画像に記録媒体が含まれるとＳ１０４において判断すると、この撮影画像におけるこの記録媒体の天位置が指定されたか否かを判断する（Ｓ１０５）。携帯機器４０の利用者は、表示部４２に表示されている撮影画像上の記録媒体の天位置を操作部４１を介して指定することによって、この天位置を指定することができる。
【００４３】
図５は、表示部４２に表示された撮影画像における記録媒体の天位置の一例を示す図である。
【００４４】
図５において、表示部４２に表示された撮影画像５０には、記録媒体５１が含まれている。撮影画像５０上の記録媒体５１には、利用者によって指定された天位置６０が太線で強調されて表されている。
【００４５】
図４に示すように、表示制御手段４６ｂは、天位置が指定されていないとＳ１０５において判断すると、再びＳ１０４の処理に戻る。
【００４６】
表示制御手段４６ｂは、天位置が指定されたとＳ１０５において判断すると、Ｓ１０５において指定された天位置を基準として、撮影画像上の記録媒体のサイズを取得する（Ｓ１０６）。具体的には、表示制御手段４６ｂは、撮影画像における記録媒体の縦の長さと、撮影画像における記録媒体の横の長さとを取得する。
【００４７】
次いで、表示制御手段４６ｂは、Ｓ１０６において取得したサイズと、印刷予定画像が記録媒体に印刷される場合の印刷予定画像の倍率（以下「印刷予定倍率」と言う。）とに基づいて、撮影画像における印刷予定画像のサイズを算出する（Ｓ１０７）。例えば、表示制御手段４６ｂは、撮影画像における記録媒体の縦の長さ、横の長さがそれぞれ５２、３７である場合に、印刷予定倍率が１倍であるときには、撮影画像における印刷予定画像の縦の長さ、横の長さをそれぞれ５２、３７と算出し、印刷予定倍率が２倍であるときには、撮影画像における印刷予定画像の縦の長さ、横の長さをそれぞれ１０４、７４と算出する。なお、印刷予定倍率の初期値は、例えば１である。
【００４８】
次いで、表示制御手段４６ｂは、Ｓ１０１において取得した印刷予定画像と、Ｓ１０７において算出したサイズとに基づいて、プレビュー画像用の印刷予定画像（以下「プレビュー用印刷予定画像」と言う。）をＳ１０７において算出したサイズで生成する（Ｓ１０８）。ここで、表示制御手段４６ｂは、Ｓ１０２において受け付けられたＭＦＰの出力特性に応じてプレビュー用印刷予定画像の外観を変化させる。例えば、表示制御手段４６ｂは、Ｓ１０２において受け付けられたＭＦＰがモノクロ専用機である場合には、プレビュー用印刷予定画像をモノクロ画像に変化させる。また、表示制御手段４６ｂは、Ｓ１０２において受け付けられたＭＦＰがカラー機である場合であっても、このＭＦＰの色の再現力に応じてプレビュー用印刷予定画像を変化させるようになっていても良い。
【００４９】
次いで、表示制御手段４６ｂは、印刷予定画像が記録媒体に印刷される場合の記録媒体に対する印刷予定画像の原点の位置（以下「印刷予定位置」と言う。）に撮影画像上の記録媒体において対応する位置に、Ｓ１０８において生成したプレビュー用印刷予定画像を撮影画像に合成した合成画像を生成する（Ｓ１０９）。なお、印刷予定位置の初期値は、例えば、天位置を上とした場合の記録媒体の上端の左端の位置である。
【００５０】
次いで、表示制御手段４６ｂは、Ｓ１０９において生成した合成画像、すなわち、プレビュー画像を表示部４２に表示させる（Ｓ１１０）。すなわち、表示制御手段４６ｂは、例えば図６に示すようなプレビュー画像をＡＲ技術によって表示部４２に表示させる。
【００５１】
図６に示すプレビュー画像７０は、撮影画像５０に、プレビュー用印刷予定画像７１が合成された合成画像である。
【００５２】
図４に示すように、表示制御手段４６ｂは、Ｓ１１０の処理の後、プレビュー用印刷予定画像の倍率が操作部４１を介して変更されたか否かを判断する（Ｓ１１１）。例えば、携帯機器４０の利用者は、表示部４２に表示されているプレビュー用印刷予定画像を操作部４１を介して直接操作することによってプレビュー用印刷予定画像の倍率を変更することもできるし、倍率を表す数値を操作部４１を介して具体的に指定することによってプレビュー用印刷予定画像の倍率を変更することもできる。
【００５３】
表示制御手段４６ｂは、プレビュー用印刷予定画像の倍率が変更されなかったとＳ１１１において判断すると、撮影画像上の記録媒体に対するプレビュー用印刷予定画像の位置が操作部４１を介して変更されたか否かを判断する（Ｓ１１２）。例えば、携帯機器４０の利用者は、表示部４２に表示されているプレビュー用印刷予定画像を操作部４１を介して直接操作することによってプレビュー用印刷予定画像の位置を変更することもできるし、位置を表す数値を操作部４１を介して具体的に指定することによってプレビュー用印刷予定画像の位置を変更することもできる。
【００５４】
表示制御手段４６ｂは、撮影画像上の記録媒体に対するプレビュー用印刷予定画像の位置が変更されなかったとＳ１１２において判断すると、再びＳ１０４の処理に戻る。
【００５５】
表示制御手段４６ｂは、プレビュー用印刷予定画像の倍率が変更されたとＳ１１１において判断すると、この変更に合わせて印刷予定倍率を変更し（Ｓ１１３）、再びＳ１０４の処理に戻る。すなわち、表示制御手段４６ｂは、例えば図７に示すようなプレビュー画像をＡＲ技術によって表示部４２に表示させる。
【００５６】
図７に示すプレビュー画像７０は、図６に示すプレビュー画像７０よりもプレビュー用印刷予定画像７１のサイズが１／２倍になっている。すなわち、図７に示す状態において、印刷予定倍率は、１／２倍に設定されている。
【００５７】
図４に示すように、表示制御手段４６ｂは、撮影画像上の記録媒体に対するプレビュー用印刷予定画像の位置が変更されたとＳ１１２において判断すると、この変更に合わせて印刷予定位置を変更し（Ｓ１１４）、再びＳ１０４の処理に戻る。すなわち、表示制御手段４６ｂは、例えば図８に示すようなプレビュー画像をＡＲ技術によって表示部４２に表示させる。
【００５８】
図８に示すプレビュー画像７０は、撮影画像５０上の記録媒体５１に対するプレビュー用印刷予定画像７１の位置が図７に示すプレビュー画像７０とは異なっている。
【００５９】
なお、以上においては、撮影画像における記録媒体の縦および横が撮影画像の縦および横と同一であるが、図９に示すように、撮影画像における記録媒体の縦および横が撮影画像の縦および横と異なっていても良い。
【００６０】
また、表示制御手段４６ｂは、撮影画像における記録媒体の形状が長方形から変化していたとしても、その変化に応じて合成画像における印刷予定画像の形状を変化させても良い。例えば、表示制御手段４６ｂは、撮影画像における記録媒体の形状が図１０に示す形状に変化したとしても、撮影画像における記録媒体の形状に応じて合成画像における印刷予定画像の形状を図１０に示すように変化させることができる。この構成により、携帯機器４０は、記録媒体に対する撮像部４３による撮影角度が変更されることによって、記録媒体の正面からのプレビュー画像だけでなく、記録媒体に対する様々な角度からのプレビュー画像を利用者に確認させることができる。
【００６１】
なお、以上においては、印刷予定画像のサイズと、この印刷予定画像を印刷する対象である記録媒体のサイズとが同一の場合の処理について説明している。表示制御手段４６ｂは、印刷予定画像のサイズを印刷予定画像自体から取得することができるので、印刷予定画像のサイズと、記録媒体のサイズとが異なる場合であっても、記録媒体のサイズが操作部４１を介して具体的に指定されることによって、印刷予定画像のサイズと、この記録媒体のサイズとに基づいてプレビュー用印刷予定画像のサイズを適切なサイズで生成することができる。
【００６２】
次に、印刷予定画像をＭＦＰに印刷させる場合の画像形成システム１０の動作について説明する。
【００６３】
携帯機器４０の制御部４６は、表示部４２に表示されているプレビュー画像に応じて記録媒体に印刷することが操作部４１を介して指示されると、Ｓ１０１において取得した印刷予定画像を、印刷予定倍率および印刷予定位置とともに、Ｓ１０２において受け付けたＭＦＰにネットワーク通信部４４を介して送信する。
【００６４】
したがって、ＭＦＰの制御部は、携帯機器４０から送信されてきた印刷予定画像を、この印刷予定画像とともに携帯機器４０から送信されてきた印刷予定倍率および印刷予定位置を使用して、プリンターによって記録媒体に印刷する。
【００６５】
以上に説明したように、携帯機器４０は、撮像部４３による撮影画像における記録媒体上に印刷予定画像を合成した合成画像をプレビュー画像として表示部４２に表示させる（Ｓ１１０）ので、実際の記録媒体の外観をプレビュー画像に反映することができ、結果として、実際の印刷物に近いプレビュー画像を生成することができる。
【００６６】
携帯機器４０は、画像認識技術によって撮影画像上の記録媒体自体を認識することによって、撮影画像に記録媒体が含まれることを認識する（Ｓ１０４）ので、撮影画像に記録媒体が含まれることを認識するための特別なマーカーが記録媒体上に形成されていなくても、撮影画像における記録媒体上に印刷予定画像を合成した合成画像をプレビュー画像として表示部４２に表示させることができる。
【００６７】
なお、携帯機器４０は、撮影画像に記録媒体が含まれることを認識するための特別なマーカーを記録媒体上から読み取ることによって、撮影画像に記録媒体が含まれることを認識する構成であっても良い。
【００６８】
携帯機器４０は、記録媒体に印刷予定画像を印刷するＭＦＰが指定されることによって、このＭＦＰの出力特性に応じて合成画像における印刷予定画像の外観を変化させるので、印刷予定画像を印刷させるＭＦＰに適したプレビュー画像を容易に表示デバイスに表示することができる。
【００６９】
なお、本実施の形態における画像形成システムは、本発明の電子機器として携帯機器を備えているが、ＰＣなど、携帯機器以外の電子機器を本発明の電子機器として備えていても良い。
【００７０】
また、本実施の形態における画像形成システムは、本発明の画像形成装置としてＭＦＰを備えているが、プリンター専用機、コピー専用機、ＦＡＸ専用機など、ＭＦＰ以外の画像形成装置を本発明の画像形成装置として備えていても良い。
【符号の説明】
【００７１】
２０  ＭＦＰ（画像形成装置）
４０  携帯機器（電子機器）
４２  表示部（表示デバイス）
４３  撮像部（撮像デバイス）
４５ａ  印刷プレビュープログラム
４６ａ  印刷予定画像取得手段
４６ｂ  表示制御手段
４６ｃ  装置指定受付手段
５０  撮影画像
５１  記録媒体
７０  プレビュー画像（合成画像）
７１  プレビュー用印刷予定画像（印刷予定画像）
【図１】
2014215950.tif 000003
【図２】
2014215950.tif 000004
【図３】
2014215950.tif 000005
【図４】
2014215950.tif 000006
【図５】
2014215950.tif 000007
【図６】
2014215950.tif 000008
【図７】
2014215950.tif 000009
【図８】
2014215950.tif 000010
【図９】
2014215950.tif 000011
【図１０】
2014215950.tif 000012